(57)【要約】    【課題】  全系が小型で構図シフトの少ないチルト撮影が容易なズームレンズを得ること。    【解決手段】  物体側から像側へ順に配置された１つ以上のレンズ群を有する前群、最も物体側に開口絞りを含み、１つ以上のレンズ群を有する後群より構成され、ズーミング際して隣り合うレンズ群の間隔が変化するズームレンズにおいて、  前記前群は全ズーム範囲にわたり負の屈折力であり、前記後群は全ズーム範囲にわたり正の屈折力であり、前記前群は光軸方向に対して垂直方向の成分を持つように移動することでチルト効果を発生させることができるレンズ部Ａを備え、前記後群は光軸方向に対して垂直方向の成分を持つように移動することでシフト効果を発生させることができるレンズ部Ｂを備え、前記レンズ部Ｂはチルト撮影時に前記レンズ部Ａをシフトさせたことによって生じる構図シフトを補正する方向に移動すること。【選択図】    図１
2019090952.tif 000002
【特許請求の範囲】
【請求項１】
物体側から像側へ順に配置された１つ以上のレンズ群を有する前群、最も物体側に開口絞りを含み、１つ以上のレンズ群を有する後群より構成され、ズーミング際して隣り合うレンズ群の間隔が変化するズームレンズにおいて、
前記前群は全ズーム範囲にわたり負の屈折力であり、前記後群は全ズーム範囲にわたり正の屈折力であり、前記前群は光軸方向に対して垂直方向の成分を持つように移動することでチルト効果を発生させることができるレンズ部Ａを備え、前記後群は光軸方向に対して垂直方向の成分を持つように移動することでシフト効果を発生させることができるレンズ部Ｂを備え、前記レンズ部Ｂはチルト撮影時に前記レンズ部Ａをシフトさせたことによって生じる構図シフトを補正する方向に移動することを特徴とするズームレンズ。
【請求項２】
前記レンズ部Ａのシフト量をＭａ、前記レンズ部Ａの偏芯敏感度をＳａ、前記レンズ部Ｂのシフト量をＭｂ、前記レンズ部Ｂの偏芯敏感度をＳｂとするとき、
０．６＜−（Ｍａ×Ｓａ）／（Ｍｂ×Ｓｂ）＜１．８
なる条件式を満足することを特徴とする請求項１に記載のズームレンズ。
【請求項３】
前記レンズ部Ａのペッツバール和をＰａとするとき、
−０．６＜Ｐａ＜−０．２
なる条件式を満足することを特徴とする請求項１または２に記載のズームレンズ。
【請求項４】
前記レンズ部Ａおよび前記レンズ部Ｂは、いずれも１枚の正の屈折力のレンズと１枚の負の屈折力のレンズからなることを特徴とする請求項１乃至３のいずれか１項に記載のズームレンズ。
【請求項５】
前記前群は、物体側から像側へ順に配置された、正の屈折力の第１レンズ群、負の屈折力の第２レンズ群より構成され、前記後群は物体側から像側へ順に配置された正の屈折力の第３レンズ群、負の屈折力の第４レンズ群、正の屈折力の第５レンズ群より構成されることを特徴とする請求項１乃至４のいずれか１項に記載のズームレンズ。
【請求項６】
前記レンズ部Ａは前記第２レンズ群に含まれ、負の屈折力を有することを特徴とする請求項５に記載のズームレンズ。
【請求項７】
前記レンズ部Ｂは前記第４レンズ群に含まれ、負の屈折力を有することを特徴とする請求項５または６に記載のズームレンズ。
【請求項８】
前記レンズ部Ｂは前記第３レンズ群に含まれ、正の屈折力を有することを特徴とする請求項５または６に記載のズームレンズ。
【請求項９】
請求項１乃至８のいずれか１項に記載のズームレンズと、該ズームレンズによって形成される像を受光する撮像素子を有することを特徴とする撮像装置。
【発明の詳細な説明】
【技術分野】
【０００１】
本発明は、ズームレンズ及びそれを有する撮像装置に関し、例えば、デジタルスチルカメラ、デジタルビデオカメラ、ＴＶカメラ、監視用カメラ等の撮像装置に好適なものである。
【背景技術】
【０００２】
近年、一眼レフカメラ等の撮像装置においては、さまざまな用途に応じた撮像が求められている。そのひとつに、撮像光学系の光軸方向に傾いた物体面に対して全面的に良好にピントを合わせて撮像することができる撮像光学系が要望されている。
【０００３】
このような撮像用途をチルト撮影と呼び、こういった要望を満足する光学系としてチルト機構（アオリ機構）を設けた撮像光学系が知られている。その撮影原理にはシャインプルーフの法則が用いられており、この撮像光学系はシャインプルーフ光学系とも呼ばれている。
【０００４】
一方で、チルト機構を有する撮像光学系はチルト時に構図がシフト（構図シフト）してしまい、利便性を著しく損ねる場合があった。
【０００５】
従来、チルトしたときの構図シフトが少なくなるようにした撮像装置が知られている（特許文献１）。特許文献１では、チルト機構の回転中心位置と撮像光学系の後側主点位置を光軸方向で極力近づけることで、構図シフトを小さくした撮像装置を開示している。
【先行技術文献】
【特許文献】
【０００６】
【特許文献１】特開２０１０−１９１０７８号公報
【発明の概要】
【発明が解決しようとする課題】
【０００７】
チルト機構を有する撮像光学系は、光軸上の任意の点を中心に、レンズ鏡筒が回転方向に移動する。このため、一般にレンズ保持機構が大型化し、撮像光学系としてズームレンズに適用した場合は操作性が低下する傾向があった。一般に撮像光学系の後側主点位置とチルト中心位置を近づけることで構図シフトを小さくすることができる。撮像光学系としてズームレンズを用いたとき、ズーミングに伴ってズームレンズの主点位置や各レンズ間のレンズ間隔が変化するのでこの条件を満たすことは難しい。
【０００８】
撮像光学系としてズームレンズを用い、光軸方向に傾いた物体面に対して全面的に良好にピントを合わせて撮像することができるためには、ズームレンズの各要素を適切に設定することが重要となる。特に全系が小型で構図シフトの少ないチルト撮影が容易なズームレンズを得るには、ズームレンズのレンズ構成を適切に設定することが重要になってくる。
【０００９】
本発明は、全系が小型で構図シフトの少ないチルト撮影が容易なズームレンズ及びそれを有する撮像装置の提供を目的とする。
【課題を解決するための手段】
【００１０】
本発明のズームレンズは、物体側から像側へ順に配置された１つ以上のレンズ群を有する前群、最も物体側に開口絞りを含み、１つ以上のレンズ群を有する後群より構成され、ズーミング際して隣り合うレンズ群の間隔が変化するズームレンズにおいて、
前記前群は全ズーム範囲にわたり負の屈折力であり、前記後群は全ズーム範囲にわたり正の屈折力であり、前記前群は光軸方向に対して垂直方向の成分を持つように移動することでチルト効果を発生させることができるレンズ部Ａを備え、前記後群は光軸方向に対して垂直方向の成分を持つように移動することでシフト効果を発生させることができるレンズ部Ｂを備え、前記レンズ部Ｂはチルト撮影時に前記レンズ部Ａをシフトさせたことによって生じる構図シフトを補正する方向に移動することを特徴としている。
【発明の効果】
【００１１】
本発明によれば、全系が小型で構図シフトの少ないチルト撮影が容易なズームレンズが得られる。
【図面の簡単な説明】
【００１２】
【図１】（Ａ）、（Ｂ）、（Ｃ）  本発明の実施例１の広角端、中間の焦点距離、望遠端におけるレンズ断面図
【図２】（Ａ）、（Ｂ）、（Ｃ）  本発明の実施例１の広角端、中間の焦点距離、望遠端における収差図
【図３】本発明の実施例１の広角端と望遠端でのチルト撮影時のＭＴＦデフォーカス特性の説明図
【図４】（Ａ）、（Ｂ）、（Ｃ）  本発明の実施例２の広角端、中間の焦点距離、望遠端におけるレンズ断面図
【図５】（Ａ）、（Ｂ）、（Ｃ）  本発明の実施例２の広角端、中間の焦点距離、望遠端における収差図
【図６】本発明の実施例２の広角端と望遠端でのチルト撮影時のＭＴＦデフォーカス特性の説明図
【図７】シャインプルーフの法則の説明図
【図８】本発明の撮像装置の要部概略図
【発明を実施するための形態】
【００１３】
以下に本発明の好ましい実施形態を添付の図面に基づいて説明する。本発明のズームレンズは、物体側から像側へ順に配置された１つ以上のレンズ群を有する前群、最も物体側に開口絞りを含み、１つ以上のレンズ群を有する後群より構成され、ズーミング際して隣り合うレンズ群の間隔が変化する。
【００１４】
前群は全ズーム範囲にわたり負の屈折力であり、後群は全ズーム範囲にわたり正の屈折力である。前群は光軸方向に対して垂直方向の成分を持つように移動することでチルト効果を発生させることができるレンズ部Ａを備え、後群は光軸方向に対して垂直方向の成分を持つように移動することでシフト効果を発生させることができるレンズ部Ｂを備えている。レンズ部Ｂはチルト撮影時にレンズ部Ａをシフトさせたことによって生じる構図シフトを補正する方向に移動する。
【００１５】
図１（Ａ）、（Ｂ）、（Ｃ）は実施例１のズームレンズの無限遠にフォーカスしたときの広角端、中間の焦点距離、望遠端におけるレンズ断面図である。図２（Ａ）、（Ｂ）、（Ｃ）は実施例１のズームレンズの無限遠にフォーカスしたときの広角端、中間の焦点距離、望遠端における収差図である。図３は実施例１のズームレンズで広角端と望遠端においてチルト撮影時の各像高におけるＭＴＦデフォーカス特性を表した説明図である。
【００１６】
実施例１のズームレンズは広角端における撮像半画角４１．２度、中間の焦点距離における撮像半画角２３．５度、望遠端における撮像半画角１２度である。実施例１のズームレンズは広角端、中間の焦点距離、望遠端におけるＦナンバーは４．１２である。
【００１７】
図４（Ａ）、（Ｂ）、（Ｃ）は実施例２のズームレンズの無限遠にフォーカスしたときの広角端、中間の焦点距離、望遠端におけるレンズ断面図である。図５（Ａ）、（Ｂ）、（Ｃ）は実施例２のズームレンズの無限遠にフォーカスしたときの広角端、中間の焦点距離、望遠端における収差図である。図６は実施例２のズームレンズで広角端と、望遠端においてチルト撮影時の各像高におけるＭＴＦデフォーカス特性を表した説明図である。
【００１８】
実施例２のズームレンズは広角端における撮像半画角４１．２度、中間の焦点距離における撮像半画角２２度、望遠端における撮像半画角１１．３度である。実施例２のズームレンズは広角端、中間の焦点距離、望遠端におけるＦナンバーは４．１２である。
【００１９】
図７はシャインプルーフの法則の説明図である。図８は本発明の撮像装置の要部概略図である。
【００２０】
レンズ断面図において左側が物体側（前方、拡大側）、右側が像側（後方、縮小側）である。Ｌ０はズームレンズである。ＬＦは前群、ＬＲは後群である。Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。Ｌ２ｂはチルト効果を有するレンズ部Ａである。図１においてＬ４ａ、図４においてＬ３ｂは、シフト効果を有するレンズ部Ｂである。
【００２１】
ここでレンズ群とはズーミングの際に変化する光軸に沿ったレンズ間隔によって分けられる１以上のレンズを含むレンズ集合体をいう。ＳＰは開口絞りである。ＳＳＰは補助絞り（フレアーカット絞り）である。focusに関する矢印は無限遠から至近へのフォーカシングに際してのレンズ群の移動軌跡を示している。ＩＰは像面であり、ビデオカメラやデジタルスチルカメラの撮像光学系として用いる際には像面はＣＣＤセンサやＣＭＯＳセンサ等の撮像素子（光電変換素子）の撮像面に相当する。
【００２２】
球面収差図において、実線のｄはｄ線（波長５８７．６ｎｍ）の球面収差、点線は正弦条件を表わしている。非点収差図において、破線のＭはｄ線のメリディオナル像面、実線のＳはｄ線のサジタル像面を表わす。ＦｎｏはＦナンバーである。ＭＴＦデフォーカス特性において、実線はサジタル方向、点線はメリディオナル方向のＭＴＦを表している。ＭＴＦの計算波長はｄ線、シフト部Ａのシフト量は１ｍｍ、後述する条件式（１）の値が１になるようにシフト部Ｂをシフトしている。
【００２３】
次に本発明のズームレンズにおける構図シフトの補正の原理について説明する。ズームレンズを構成するレンズ部を光軸上より偏芯させると、コマ収差や像面倒れが発生する。通常、ズームレンズはレンズ部の偏芯時の収差が小さくなるように設計されている。しかし、ズームレンズをレンズ部の光軸上からの偏芯による像面倒れを残すよう設計すると、チルト撮影と同じような効果を得ることができる。
【００２４】
図７はズームレンズＬａのレンズ部の偏芯により、シャインプルーフの法則を擬似的に満たした場合の模式図である。垂直面から角度θｏｂｊだけ傾いた物体面に対して全面的に良好にピントを合わせるためには、シャインプルーフの法則からズームレンズＬａのレンズ主平面に対し撮像面（像面）を垂直面から角度θｉｍｇ度だけ傾けなければならない。
【００２５】
そこで、本発明者はレンズ部の偏芯による像面倒れを利用することで、物体面の傾きθｏｂｊによって発生した像面倒れの角度θｉｍｇを補正し、撮像面を倒さなくても全面的にピントを合わせることができるようにした。しかし、大きな補正効果を確保しようとすると、レンズ部の偏芯量が増え、構図シフトも大きくなってしまう。そこで、偏芯時の収差変動が小さくなるように設計されたレンズ部をもう１つ動かし、構図シフトを補正することで、像面倒れと構図シフトを補正できるズームレンズを設計した。
【００２６】
以下では、この像面倒れの補正をチルト効果と呼び、構図シフトの補正をシフト効果と呼ぶ。
【００２７】
本発明のズームレンズは、物体側から像側へ順に配置された、１つ以上のレンズ群を含み、全ズーム範囲において全体として負の屈折力の前群ＬＦと１つ以上のレンズ群を含み全ズーム範囲において全体として正の屈折力の後群ＬＲからなる。前群ＬＦには光軸方向に対して垂直方向の成分を持つように移動することでチルト効果を発生させるレンズ部Ａを備えている。後群ＬＲには光軸方向に対して垂直方向の成分を持つように移動することでシフト効果を発生させるレンズ部Ｂを備えている。レンズ部Ｂはチルト撮像時にレンズ部Ａをシフトさせたことによって生じる構図シフトを打ち消す方向に動く。
【００２８】
本発明のズームレンズにおいて好ましくは次の条件式のうち１つ以上を満足するのが良い。レンズ部Ａのシフト量をＭａ、レンズ部Ａの偏芯敏感度をＳａ、レンズ部Ｂのシフト量をＭｂ、レンズ部Ｂの偏芯敏感度をＳｂとする。ここで、偏芯レンズ部（光軸からシフトさせるレンズ部）の横倍率をβｉ、偏芯レンズ部より像側にあるレンズ系のトータル横倍率をβｋとする。このとき、偏芯敏感度Ｓは
Ｓ＝（１−βｉ）βｋ
より求められる。レンズ部Ａのペッツバール和をＰａとする。
【００２９】
このとき、次の条件式のうち１つ以上を満足するのが良い。
０．６０＜−（Ｍａ×Ｓａ）／（Ｍｂ×Ｓｂ）＜１．８    ・・・（１）
−０．６０＜Ｐａ＜−０．２０                          ・・・（２）
【００３０】
次に前述の各条件式の技術的意味について説明する。条件式（１）はレンズ部Ａとレンズ部Ｂのシフト量と偏芯敏感度に関するものである。理論上、Ｍａ×Ｓａ＋Ｍｂ×Ｓｂ＝０を満たすことで構図シフトを限りなく小さくすることができる。しかしながら、この関係は厳密に一致する必要はなく、条件式（１）の範囲に入っていれば実用上問題ない。条件式（１）の上限値及び下限値を超えてレンズ部Ｂの移動量が大きくなると、構図シフトが大きくなる。
【００３１】
条件式（２）はチルト効果を有するレンズ部Ａのペッツバール和に関するものである。条件式（２）の下限を超えると、チルト撮影時の非点収差が大きくなり、光学性能を良好に保つことが困難となる。条件式（２）の上限を超えると、レンズ部Ａがチルト撮像するためにシフトしたときの像面倒れが小さくなり、十分なチルト効果を得ることが困難になる。
【００３２】
更に好ましくは、条件式（１）、（２）の数値範囲を次の如く設定するのが良い。
０．９０＜−（Ｍａ×Ｓａ）／（Ｍｂ×Ｓｂ）＜１．１    ・・・（１ａ）
−０．５０＜Ｐａ＜−０．２１                          ・・・（２ａ）
【００３３】
次に各実施例において良好なる光学特性を得るための好ましい機構について説明する。レンズ部Ａ及びレンズ部Ｂは、いずれも１枚の正の屈折力のレンズと１枚の負の屈折力のレンズからなるのが収差補正上好ましい。
【００３４】
前群ＬＦは、物体側から像側へ順に配置された、正の屈折力の第１レンズ群Ｌ１、負の屈折力の第２レンズ群Ｌ２より構成されるのが良い。また後群ＬＲは物体側から像側へ順に配置された正の屈折力の第３レンズ群Ｌ３、負の屈折力の第４レンズ群Ｌ４、正の屈折力の第５レンズ群Ｌ５より構成されるのが高ズーム比化を達成するのに好ましい。チルト効果を有するレンズ部Ａは第２レンズ群Ｌ２に含まれ、負の屈折力を有するのが良い。シフト効果を有するレンズ部Ｂは第４レンズ群Ｌ４に含まれ、負の屈折力を有するのが良い。
【００３５】
この他、シフト効果を有するレンズ部Ｂは第３レンズ群Ｌ３に含まれ、正の屈折力を有するのが良い。
【００３６】
各実施例のズームレンズは、物体側から像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５より構成されている。そしてズーミングに際して隣り合うレンズ群の間隔が変化する。
【００３７】
具体的には広角端から望遠端へのズーミングに際して第１レンズ群Ｌ１と第２レンズ群Ｌ２の間隔が広がる。第２レンズ群Ｌ２と第３レンズ群Ｌ３の間隔が狭まり、第３レンズ群Ｌ３と第４レンズ群Ｌ４の間隔が広がり、第４レンズ群Ｌ４と第５レンズ群Ｌ５の間隔が狭まる。このように各レンズ群は移動する。
【００３８】
各実施例において第２レンズ群Ｌ２の一部Ｌ２ｂがチルト効果を有するレンズ部Ａである。実施例１において第４レンズ群Ｌ４の一部Ｌ４ｂがシフト効果を有するレンズ部Ｂである。実施例２において第３レンズ群Ｌ３の一部Ｌ３ｂがシフト効果を有するレンズ部Ｂである。
【００３９】
以上のように各要素を設定することにより、全系が小型で構図シフトの少ないチルト撮影が容易なズームレンズを得ている。
【００４０】
一般に複数のレンズを有する光学系において物体側から像側へ順に数えた第ｉレンズをシフトさせた時の像面倒れを表す偏芯収差係数ＰＥは薄肉系で近似すると、
【００４１】
2019090952.tif 000003
となる。
【００４２】
ここで、
Ｐｉ：第ｉレンズのペッツバール和
α’ｉ：第ｉレンズの軸上光束の射出角
となる。偏芯収差係数ＰＥを大きくするとシフト時の像面倒れが大きくなり、より大きなチルト効果を得ることができる。各実施例では、上記式の第１項と第２項が同符号となるように、射出角α’がマイナス方向に大きくなる第２レンズ群Ｌ２の一部のレンズ部Ａをチルト効果を持つレンズ部として採用している。
【００４３】
シフト効果を持つレンズ部Ｂとしては、第４レンズ群Ｌ４の一部または第３レンズ群Ｌ３の一部を採用しており、偏芯敏感度を保ったままシフトによる光学性能の劣化を少なくした設計になっている。
【００４４】
各実施例では、それぞれレンズ部Ａを１ｍｍシフトさせてチルト撮像を行っており、広角端におけるチルト効果は約１度、望遠端におけるチルト効果は約２度となっている。このように、レンズ部Ａをシフトさせてチルト撮像することによる構図シフトをレンズ部Ｂで補正することによって、構図シフトの少ないチルト撮影を容易にしている。
【００４５】
次に、本発明のズームレンズを用いた一眼レフカメラシステム（撮像装置）の実施例を図８を用いて説明する。図８において、１０は一眼レフカメラ本体、１１は本発明によるズームレンズを搭載した交換レンズである。１２は交換レンズ１１を通して形成される被写体像を記録（受光）する撮像素子を含む記録手段である。１３は交換レンズ１１からの被写体像を観察するファインダー光学系、１４は交換レンズ１１からの被写体像を記録手段１２とファインダー光学系１３に切り替えて伝送するための回動するクイックリターンミラーである。
【００４６】
ファインダーで被写体像を観察する場合は、クイックリターンミラー１４を介してピント板１５に結像した被写体像をペンタプリズム１６で正立像としたのち、接眼光学系１７で拡大して観察する。撮影時にはクイックリターンミラー１４が矢印方向に回動して被写体像は記録手段１２に結像して記録される。１８はサブミラー、１９は焦点検出装置である。
【００４７】
このように本発明のズームレンズを一眼レフカメラ交換レンズ等の撮像装置に適用することにより、小型で構図シフトの少ないチルト撮影が可能なズームレンズを得ている。尚、本発明はクイックリターンミラーのないカメラにも同様に適用することができる。
【００４８】
次に本発明に係るズームレンズの実施例１、２の数値データ１、２を示す。各数値データにおいてｉは物体側からの面の順序を示し、ｒｉはレンズ面の曲率半径、ｄｉは第ｉ面と第ｉ＋１面との間のレンズ肉厚および空気間隔、ｎｄｉ、νｄｉはそれぞれｄ線に対する材料の屈折率、アッベ数を示す。また第ｉ面の有効径も示す。ＢＦはバックフォーカスであり、最終レンズ面から像面までの距離で示している。レンズ全長は第１レンズ面から最終レンズ面までの距離にバックフォーカスを加えた値である。
【００４９】
また焦点距離、Ｆナンバーを示す。半画角は全系の撮像画角の半分である。像高は半画角を決定する最大像高である。また、レンズ群データは、各レンズ群の焦点距離、光軸上の長さ、入射瞳位置、射出瞳位置、前側主点位置、後側主点位置を表している。非球面形状は光軸方向にＸ軸、光軸と垂直方向にＨ軸、光の進行方向を正としＲを近軸曲率半径、Ｋを円錐定数、Ａ４、Ａ６、Ａ８、Ａ１０を各々非球面係数としたとき、
【００５０】
【数１】
2019090952.tif 000004
【００５１】
なる式で表している。また［ｅ＋Ｘ］は［×１０＋Ｘ］を意味し、［ｅ−Ｘ］は［×１０-Ｘ］を意味している。非球面は面番号の後に＊を付加して示す。また、各光学面の間隔dが（可変）となっている部分は、ズーミングに際して変化するものであり、別表に焦点距離に応じた面間隔を記している。また前述の各パラメータ及び各条件式と数値データの関係を表１に示す。 
【００５２】
（数値データ１）
単位 mm
面データ
面番号       r        d      nd         νd       有効径
1        142.380    1.70   1.85478    24.8       62.04
2         69.190    7.06   1.59522    67.7       59.13
3        407.335    0.15                         58.61
4         61.320    6.10   1.77250    49.6       55.84
5        187.256  (可変)                         54.86
6*       162.636    0.04   1.51742    52.4       31.61
7         95.607    1.00   1.88300    40.8       31.51
8         16.534    7.64                         23.96
9        -37.992    1.00   1.77250    49.6       23.15
10         45.160    0.15                         22.11
11         36.421    4.79   1.90366    31.3       22.09
12        -54.984    1.81                         21.43
13*       -36.086    0.80   1.77250    49.6       19.79
14         40.932    2.64   1.90366    31.3       20.96
15       -249.182  (可変)                         21.33
16          ∞       0.05                         22.89
17         41.092    2.80   1.49700    81.5       24.02
18       5752.948    1.47                         24.20
19(絞り)    ∞       0.05                         24.59
20         27.987    1.30   1.84666    23.9       25.41
21         18.365    8.03   1.48749    70.2       24.47
22        -88.508    0.15                         24.49
23*        56.255    3.83   1.48749    70.2       24.23
24       -105.970  (可変)                         23.86
25        -71.273    3.22   1.90366    31.3       19.34
26        -21.526    0.80   1.77250    49.6       19.23
27         73.322    2.55                         18.67
28        -92.716    2.67   1.84666    23.8       18.56
29        -22.835    1.00   1.91082    35.3       18.94
30       -902.932  (可変)                         20.04
31*       137.697    5.78   1.59282    68.6       26.41
32        -27.913    0.15                         27.31
33        623.424    5.43   1.49700    81.5       27.83
34        -27.754    1.80   1.85478    24.8       27.95
35       -127.439  (可変)                         29.26
像面        ∞   
【００５３】
非球面データ
第6面
K = 0.00000e+000  A 4= 1.23214e-005  A 6=-1.88534e-008  A 8= 8.60398e-012  A10= 2.26861e-014  
第13面
K = 0.00000e+000  A 4=-3.34460e-006  A 6= 7.44927e-010  A 8=-3.31348e-012  A10=-4.01931e-014  
第23面
K = 0.00000e+000  A 4=-8.46333e-006  A 6= 5.98398e-010  A 8=-4.56471e-011  A10= 1.73769e-013  
第31面
K = 0.00000e+000  A 4=-9.47374e-006  A 6= 3.86037e-009  A 8=-1.55487e-011  A10= 3.04251e-014  
【００５４】
各種データ
ズーム比      4.05 
広角     中間     望遠
焦点距離      24.71    49.78    99.97  
Fナンバー      4.12     4.12     4.12  
半画角（度）  41.20    23.49    12.21  
像高          21.64    21.64    21.64  
レンズ全長   158.37   174.13   199.70  
BF            44.97    56.41    70.72  
d 5            2.58    19.92    38.50  
d15           22.65     9.62     2.31  
d24            1.82     7.43    11.42  
d30           10.38     4.77     0.78  
d35           44.97    56.41    70.72  
入射瞳位置    31.23    62.64   118.97  
射出瞳位置   -64.86   -51.86   -43.45  
前側主点位置  50.38    89.53   131.40  
後側主点位置  20.26     6.64   -29.25  
レンズ群データ
群  始面    焦点距離  レンズ構成長  前側主点位置  後側主点位置
1    1     106.82        15.01         2.35         -6.54
2    6     -16.65        19.87         1.97        -12.55
3   16      26.65        17.68         5.65         -7.60
4   25     -34.50        10.25         2.28         -4.25
5   31      48.98        13.16         2.09         -6.26
単レンズデータ
レンズ  始面  焦点距離
1       1   -159.17
2       2    138.95
3       4    115.59
4       6   -448.43
5       7    -22.78
6       9    -26.57
7      11     24.86
8      13    -24.71
9      14     39.07
10      17     83.26
11      20    -67.26
12      21     31.99
13      23     75.97
14      25     33.11
15      26    -21.46
16      28     35.17
17      29    -25.74
18      31     39.66
19      33     53.61
20      34    -41.86
【００５５】
（数値データ２）
単位 mm
面データ
面番号       r        d      nd         νd       有効径
1        184.231    1.70   1.85478    24.8       66.59
2         80.452    7.47   1.59522    67.7       61.64
3       3158.451    0.15                         60.74
4         58.867    6.13   1.77250    49.6       57.02
5        151.109  (可変)                         55.98
6*        93.125    0.04   1.51742    52.4       33.17
7         73.762    1.00   1.88300    40.8       33.10
8         15.857    8.73                         24.66
9        -32.025    1.00   1.77250    49.6       24.08
10         56.049    0.15                         23.37
11         40.840    4.66   1.90366    31.3       23.41
12        -47.503    1.67                         23.02
13*       -36.149    0.80   1.77250    49.6       21.38
14         47.644    2.43   1.90366    31.3       21.13
15       -268.975  (可変)                         21.49
16          ∞       0.05                         22.83
17         34.983    3.11   1.49700    81.5       24.17
18        289.476    0.99                         24.32
19         44.980    1.30   1.84666    23.8       24.90
20         25.563    6.45   1.48749    70.2       24.52
21        -59.732    1.00                         24.70
22(絞り)    ∞       0.50                         24.52
23*        41.253    4.71   1.48749    70.2       24.36
24       -123.187  (可変)                         23.87
25        -76.476    3.72   1.90366    31.3       19.43
26        -21.340    0.80   1.77250    49.6       19.27
27        136.040    2.55                         18.72
28        -59.103    2.48   1.84666    23.8       18.45
29        -21.767    1.00   1.91082    35.3       18.82
30       -293.298  (可変)                         19.90
31*       190.674    4.99   1.59282    68.6       24.94
32        -25.867    0.15                         25.67
33      -1240.631    4.51   1.49700    81.5       26.14
34        -29.420    1.80   1.85478    24.8       26.28
35       -188.278  (可変)                         27.45
像面        ∞   
【００５６】
非球面データ
第6面
K = 0.00000e+000  A 4= 8.76913e-006  A 6=-1.04511e-008  A 8=-1.82674e-011  A10= 4.09698e-014  
第13面
K = 0.00000e+000  A 4=-2.51094e-006  A 6= 4.76743e-009  A 8=-3.33426e-011  A10= 9.79533e-014  
第23面
K = 0.00000e+000  A 4=-8.28881e-006  A 6=-1.08501e-008  A 8=-3.44727e-011  A10=-4.99348e-014  
第31面
K = 0.00000e+000  A 4=-1.34036e-005  A 6= 8.08247e-009  A 8=-3.41233e-011  A10= 6.84763e-014  
【００５７】
各種データ
ズーム比      4.04 
広角     中間     望遠
焦点距離      24.74    49.49    99.93  
Fナンバー      4.12     4.12     4.12  
半画角（度）  41.16    23.61    12.22  
像高          21.64    21.64    21.64  
レンズ全長   157.40   173.16   198.73  
BF            43.99    55.44    69.75  
d 5            2.49    19.94    38.74  
d15           22.65     9.52     1.99  
d24            1.82     7.43    11.42  
d30           10.38     4.77     0.78  
d35           43.99    55.44    69.75  
入射瞳位置    32.66    65.98   127.94  
射出瞳位置   -44.69   -38.56   -33.71  
前側主点位置  50.50    89.42   131.34  
後側主点位置  19.25     5.95   -30.18  
レンズ群データ
群  始面    焦点距離  レンズ構成長  前側主点位置  後側主点位置
1    1     106.23        15.45         2.74         -6.40
2    6     -16.56        20.49         2.25        -12.96
3   16      27.01        18.11         6.19         -7.67
4   25     -38.11        10.56         2.66         -4.03
5   31      54.31        11.46         1.56         -5.66
単レンズデータ
レンズ  始面  焦点距離
1       1   -168.36
2       2    138.57
3       4    121.32
4       6   -686.12
5       7    -23.06
6       9    -26.25
7      11     24.93
8      13    -26.50
9      14     44.95
10      17     79.74
11      19    -72.16
12      20     37.66
13      23     63.99
14      25     31.74
15      26    -23.83
16      28     39.50
17      29    -25.86
18      31     38.75
19      33     60.56
20      34    -41.01
【表１】
2019090952.tif 000005
【符号の説明】
【００５８】
Ｌ０  ズームレンズ      ＬＦ  前群      ＬＲ  後群
Ｌ２ｂ  レンズ部Ａ      Ｌ３ａ  レンズ部Ｂ      Ｌ４ａ  レンズ部Ｂ
Ｌ１  第１レンズ群      Ｌ２  第２レンズ群      Ｌ３  第３レンズ群
Ｌ４  第４レンズ群      Ｌ５  第５レンズ群
【図１】
2019090952.tif 000006
【図２】
2019090952.tif 000007
【図３】
2019090952.tif 000008
【図４】
2019090952.tif 000009
【図５】
2019090952.tif 000010
【図６】
2019090952.tif 000011
【図７】
2019090952.tif 000012
【図８】
2019090952.tif 000013